(57)【要約】【課題】従来のお守りの感覚ではなく、大切に扱われる価値があり、より愛着を持つことができるお守りであり、観光地などの宣伝効果があり、かつ、規格から外れる宝石類などを有効利用することができる、携帯に便利なお守りを提供することを課題とする。【解決手段】カード形状の表面に予め祈願を施した宝石類を取り付けたことを特徴とするお守りであり、前記カードの裏面に観光写真を印刷し、前記カードに取り付けた宝石類以外の部分にラミネート加工を施したことを特徴とするお守りとした。【選択図】      図１
2004358072.tif 000002
【特許請求の範囲】
【請求項１】
カード形状のお守りにおいて、その表面に予め御祓を施した宝石類を取り付けたことを特徴とするお守り。
【請求項２】
前記カードの裏面に観光写真を印刷したことを特徴とする請求項１に記載のお守り。
【請求項３】
前記宝石類が前記カードを貫通し埋め込んで取り付けられていることを特徴とする請求項１または請求項２に記載のお守り。
【請求項４】
前記宝石類が真珠類であることを特徴とする請求項１から請求項３までのいずれかに記載のお守り。
【請求項５】
前記カードに取り付けた宝石類以外の部分にラミネート加工を施したことを特徴とする請求項１から請求項４までのいずれかに記載のお守り。
【発明の詳細な説明】
【０００１】
【発明の属する技術分野】
本発明は、カード形状のお守りに関し、特にカードに安全祈願や厄除祈願などの御祓を施した宝石類を取り付けたお守りに関する。
【０００２】
【従来の技術】
従来から、有名な観光地等では観光名所の宣伝等のために、観光名所の写真が印刷されたカードがある。
【０００３】
このようなカードは、観光地に訪れた観光客が観光の記念等の理由で、土産売場等で購入することが多いのだが、それほど大切にされることはなく、しばらくすると捨てられてしまうのが実情であった。
【０００４】
しかし、カード形状のものは持ち歩くのに便利であるため、それほど高価なものでなければ、ちょっとした観光の記念に、という理由から気軽に購入することができる。
【０００５】
また、それほど大きいものでなければ携帯等のストラップに取り付けたり、財布や定期入れ、名刺入れ等の中に入れることも可能である。
【０００６】
観光地側からすれば、観光地をアピールする宣伝効果としては非常に有効なものであり、ほとんどの観光地で観光名所の写真が印刷された同じような商品が販売されており、観光名所をあしらったお守り等も多く販売されている。
【０００７】
これは、日頃から持ち歩く習慣の多いお守りに、観光名所のデザインを施すことで、宣伝効果を一層高めようとするものである。
【０００８】
このお守りを、携行に便利なカード形状にしたお守札も多く作られるようになった。
【０００９】
例えば、実用新案登録３０６７９９９号公報では、開運仏画としての曼荼羅画をテレホンカードや名刺サイズなどのカードサイズにしたカード式お守りが開示されている。
【００１０】
寺社から授けられるお守りを、テレホンカード等のカードと同サイズの台紙として形成し、台紙表面に、曼荼羅画と家運繁栄、厄除などの願いごとを示す文字や寺社名を印刷等によって表示したカード式お守りを、財布や定期入れ、名刺入れに入れて持ち歩くことができるようにしたものである。
【００１１】
頻繁に持ち歩く機会の多い財布や定期入れ等に、簡単に入れておけるようカード形状にしてあるので、邪魔にならず携行に便利であり、お守りとして常に持ち歩くことができる。
【００１２】
また、カードの材質を貴金属とした、高価値のカードをお守りとしたものもある。例えば、特開平０５−２３７００９号公報では、貴金属の重量感と豪華さを備えつつ、貴金属が薄くても安価に製造できる装飾品、見飾り品、記念品、御守札等に用いる貴金属製薄板小物が開示されている。
【００１３】
従来の薄板小物は、無垢の貴金属を使用しており、非常に高価であるため、できるだけ薄く作ることが考えられていた。
【００１４】
そのため、折れ曲がり易く、その取り扱いが難しかったが、薄板の凹部内を充填物によって補強することで、強度が高く且つ折れ曲がりが生じない、厚く重量感のあるものにし、装飾品、身飾り品、記念品、お守札等にも利用することができ、また、使用する貴金属は非常に薄くできるので、安価に製造できるというものである。
【００１５】
【発明が解決しようとする課題】
しかしながら、観光地で販売されている観光名所の写真等が印刷されたカードなどが、しばらくして捨てられてしまうのが実情であるように、お守りであっても常に身に付けて持ち歩くとなると、特別の価値のあるものでなければ、いずれは捨てられてしまうこととなる。
【００１６】
例えば、実用新案登録３０６７９９９号公報に開示されているカード式お守りは、単に曼荼羅画をカード形状のお守りに印刷しただけで、携行に便利であるという利点を除けば、例えば、携行するのに差し支えがなく邪魔にならないので特に気にせずにそのまま携行し続けていた、という程度に過ぎず、その曼荼羅画とその人との間において特別な関連はなく、特別な価値もなく、愛着の度合いは薄い。
【００１７】
また、特開平０５−２３７００９号公報に開示されている貴金属製薄板小物のような、単に貴金属で作られた安価なお守りということでは、中身がないものとしてお守りには適さない。また、特別な思い入れや愛着の度合いは薄く、大切に扱われることは期待できない。また、無垢の金属板で製作されたお守りであれば、お守りとしての効果よりもむしろ、財産価値としての効果が期待されるものであり、大切に保管されるが、常に身に着けることはなく、お守り効果及び宣伝効果は薄い。
【００１８】
また、価値の判断としては、自分の好きな宝石類であれば、例え高価なものでなくとも、長年愛用することがあるように、肌身離さず持ち歩くお守りであるからこそ、単に高価な素材を使ってあるというだけで判断されるものではない。
【００１９】
本発明は、上記課題に鑑みてなされたものであり、従来のお守りの感覚ではなく、大切に扱われる価値があり、より愛着を持つことができるお守りであり、観光地などの宣伝効果があり、かつ、規格から外れる宝石類などを有効利用することができる、携帯に便利なお守りを提供することにある。
【００２０】
【課題を解決するための手段】
本発明は、上記に示す課題を、以下の手段によって解決することができる。
【００２１】
請求項１は、カード形状の表面に予め祈願を施した宝石類を取り付けたことを特徴とするお守りである。
【００２２】
該カードは、テレホンカードや名刺程度のサイズが好ましく、財布や定期入れなど、身の回り品に容易に収納でき、簡単に取り出して見たり、触れたりできる程度のサイズのカード形状であり、カードの材質は、紙製、布製、樹脂製、金属製などいずれでも良いが、宝石類との組み合わせから接着性と保存性の良い樹脂製などが好ましく、その外面に、高級感のある布被覆や高級紙被覆を施したものなどでも良い。
【００２３】
該宝石類は、金、銀、プラチナなどの高価な貴金属や、ダイヤ、ルビー、サファイヤ、エメラルド、真珠などの宝石などが使用できる。また、真珠貝の貝殻などでも良い。形状は、カードに取り付けられる形状であればいずれでも良く、半球状やコイン状やハート形状などの各種のデザインしたものでも良い。
【００２４】
これらの宝石類を予め、神主や僧侶等によって厄除け等の御祓を施すことにより、お守りとしたものである。例えば、宝石類として、真珠やその真珠貝であれば、その真珠の取れた海で厄除け等の御祓を施すと、特別な思い入れによる付加価値が高まる。
【００２５】
カードへの宝石類の取り付けは、宝石類をカードに固定できるものであればいずれの取り付け方法でもよく、接着剤により固着したり、カードにねじ止めやボルト止めなどの固定金具により固定したものでも良い。
【００２６】
単にカード形状のお守りであるというだけでなく、本物の宝石類を取り付けることで、その価値も高く受け止められ、いつも肌身離さず使用されることが期待できる。また、宝石類が使用されているので、贈物やお土産物としても重宝し、大変喜ばれる。
【００２７】
請求項２は、前記のカードの裏面に観光写真を印刷したことを特徴とするお守りである。
【００２８】
該観光写真は、観光名所や各観光地の風景写真などであり、そのお守りを購入した場所を特定できるものとなり、単にお守りというだけではなく、特別な思い入れを意識させるものが好ましい。
【００２９】
また、カードの裏面に観光名所や観光地の写真などが印刷されていると、観光アピール効果も高い。例えば、沖縄の真珠を使用したのであれば、沖縄の黒真珠の産地である石垣島の川平湾の写真を印刷すれば、沖縄の真珠であることを効果的に宣伝できる。
【００３０】
このように、使用する宝石類の産地の観光名所と結び付けることで、宝石類と観光地を同時にアピールすることができ、宣伝の相乗効果が期待できる。
【００３１】
また、使用する宝石類の付加価値も高まり、同時にお守りとしての価値を高めようとするものである。また、長年お守りを使用することが、延いては、お守り、観光地、宝石の全ての宣伝にも繋がるというものである。
【００３２】
請求項３は、前記の宝石類がカードに埋め込まれて取り付けられていることを特徴とするお守りである。
【００３３】
該宝石類の埋め込み処理は、カードに宝石類を埋め込むことができるものであればいずれでも良く、例えば、カードに宝石類を填め込むための穴を開けて、その穴に宝石類を填め込み固定したものでもよい。宝石類を固定リングに予め固定した後にカードの穴に取り付けたものでも良い。
【００３４】
宝石類をカードに埋め込んで取り付けることによって、カードの表と裏の両面から触ることができる。お守りの場合、直接触れることができる方が、お守り効果が高く受け止められるので、厄除効果のある宝石類に直接触ることができるように埋め込んで取り付けることが好ましい。
【００３５】
請求項４は、前記の宝石類が真珠類であることを特徴とするお守りである。
【００３６】
該真珠類は、いずれの真珠あるいはその貝でも良く、アコヤ貝によるパール真珠や、黒蝶貝による黒真珠や白真珠、ゴールド真珠などでも良い。
【００３７】
真珠類は、養殖のための海岸や湾などで厄除けのお祓いを行うことで、海から誕生する真珠のお守りとしての特別な思い入れができる。また、その養殖場は美しい海である必要があるため、観光地となり、観光写真との組み合わせによる効果が高い。
【００３８】
取り付ける宝石類に真珠類を使用することで、真珠やその産地を広く一般的に広める効果も得られ、身近な装身具としての真珠の普及をも目的とするものである。
【００３９】
また、真珠には、球形のもの他に半球状のものもあり、半球状の真珠はカードに接着しやすい。真珠貝は、研磨して光沢を整えてカットして使用できる。また、球状の真珠は、カードに埋め込んで使用できる。また、真珠には、けし玉と呼ばれる完全な球体状ではなく、少し歪んだ球体状のものや、十分な大きさに形成されておらず、規格より小さなものもあるが、これらの規格から外れている真珠などを使用することができ、有効利用ができる。
【００４０】
請求項５は、前記のカードの宝石類部分以外の面にラミネート加工を施したことを特徴とするお守りである。
【００４１】
該ラミネート加工は、一般的に行われるラミネート加工を使用することができる。
【００４２】
通常のポリエステル、ポリエチレンなどのラミネートシートを使用して、カードをラミネート加工し、その後で宝石類を固定すると良い。
【００４３】
カードに、ラミネート加工を施すことで、耐久性が高まり、半永久的に使用することが可能となる。
【００４４】
宝石類部分にまでラミネート加工を施すと、お守り効果を高めるとされる宝石類に直接触れることができなくなってしまうので、宝石類部分にはラミネート加工を施さない。
【００４５】
【発明の実施の形態】
以下、本発明の実施の形態について、実施例の図面を用いて説明する。
【００４６】
図１（１）は本発明によるお守りの表面を示し、図１（２）はＡ−Ａ部のお守りの断面図を示す。
【００４７】
本実施例は、宝石類として黒蝶真珠１を使用し、お守りのカードの材質には、耐久性が高く、写真印刷性の良いプラスチック板１０を使用した。
【００４８】
該真珠１は、けし玉と呼ばれる、形状が一部不十分で規格から外れたものの形状の不十分な部分をカットし半球状に切断加工したものを使用した。
【００４９】
この真珠１は、その産地である、沖縄県の石垣島の川平湾で僧侶により、厄除けのための御祓いを行ったものを使用した。
【００５０】
カード１０の表面は、この真珠の取れた黒蝶貝の貝殻の図形２とともに、お守りの表示３が印刷されている。また、御祓いを行った場所４と日時５も印刷される。
【００５１】
このカード型お守りは、図１（２）に示すように、お守りの印刷を施した後、カード１０をラミネート被覆１１加工し、その後で半球状の黒蝶真珠１を固着する部分のラミネートを除去し、接着剤１２で固着したものである。
【００５２】
お守りのカード１０の素材は、簡単に折れ曲がることがない丈夫な素材で、カード形状に加工できるものであれば、厚紙や熱硬化性樹脂、ガラス、卑金属、陶材等、どんな素材を使用しても良い。
【００５３】
お守りのカード１０のサイズは、テレホンカードと同じサイズとした。裏面に印刷した観光名所等の写真を認識することができる程度の大きさであれば良く、大き過ぎては携行に不便であるので、財布や定期入れ等にちょうど収まる大きさであれば携行が容易で便利である。名刺サイズなどでも良い。
【００５４】
また、使用する宝石類に真珠１を使用することで、真珠を身近なものとして広める効果も期待できる。
【００５５】
お守りに取り付ける宝石類は、真珠の他、その真珠貝や、金や銀等の貴金属でも良く、またダイヤモンド、ルビー、サファイヤ等の宝石を使用しても良い。
【００５６】
価値のある本物の宝石類を取り付けることで、お守りとしての価値も高く受け止められ、観光地等で販売されているようなカードのように、しばらくすると捨てられてしまうことはなく、いつも肌身離さず使用されることが期待できる。
【００５７】
また、宝石類が使用されているので、贈物やお土産物としても重宝し、大変喜ばれる。
【００５８】
取り付ける宝石類の種類は、一種類だけでなくてもよく、複数種類の宝石類を組み合わせて取り付けてもよい。また、宝石類の個数は、一個でも複数個でもよい。また、宝石の大きさは、大きいものでも小さいものでもよく、特に小さな形状のものであれば、小さな粒を複数個ちりばめたものであってもよい。
【００５９】
宝石類の形状は、完全な球体状のものを使用するのでなくても良く、規格から外れた形状のものでも良い。
【００６０】
本実施例では、球体状の真珠を半円形状にして取り付けたが、取り付ける際の形状は、半円形状に限定されず、球体状のものをそのまま取り付けても良いし、球体状でない歪んだ形状のものや多角形、或いは各種のデザイン等を施したものであっても良い。
【００６１】
宝石類の中には、その品質には全く問題のないものであっても、形の見栄えが少し悪いだけで半端品として規格から外され、安く売りに出されることが多い。
【００６２】
特に真珠では、けし玉と呼ばれる完全な球体状ではなく、少し歪んだ球体状のものがあり、僅かに球体状でないだけで、微妙な形状の違いのみによって、価値が下がってしまう。
【００６３】
このような形状が十分でないものもお守りに利用することで、真珠の有効利用ができる。また、その貝殻は、研磨処理により、非常に美しい自然の光沢を表し、付加価値の高い商品となる。
【００６４】
取り付けた宝石類は、お守りの前面からの見栄えの都合上、半球状の断面側を貼り付け面とするのが最も良いが、例えば平坦な面を貼り付け面としてお守りに取り付ける等、取り付け方法は特に制限されるものではない。
【００６５】
図２は、本発明によるお守りの裏面（１）の実施例と、宝石類の埋め込みタイプもののＢ−Ｂ部の断面（２）を示す。
【００６６】
お守りの裏面には、観光名所の写真が印刷される。本実施例では、取り付けてある真珠１が採れた沖縄の有名な観光名所である首里城正殿の写真２０を印刷した。
【００６７】
単に観光名所の写真が印刷されてあるというだけでは、観光地で買ったお守りとあまり変わりないものになってしまうが、取り付けてある宝石類（真珠）が採れた土地の名所等であれば、その宝石類への愛着も一層高まるであろうというものである。
【００６８】
沖縄は、世界でも有数の海の美しい所であるが、品質の高い真珠が採れることはあまり知られていない。また、近年、著名となっている石垣島の黒蝶真珠についても、タヒチなどの黒真珠と勘違いされることも決して少なくない。
【００６９】
そこで、沖縄の観光名所と結びつけることで、沖縄の真珠をよりたくさんの人に知ってもらい、真珠を広める効果も同時に得られるというものである。
【００７０】
観光地側からすれば、観光地をアピールする宣伝効果としては非常に高いものであり、ほとんどの観光地で観光名所の写真が印刷された同じような商品が販売されており、観光名所をあしらった御守等も多く販売されている。
【００７１】
これは、日頃から持ち歩く習慣の多いお守りに、観光名所のデザインを施したりすることで、宣伝効果を一層高めようとするものであるが、宝石類が採れた土地の観光名所の写真等を印刷することで、観光地の宣伝と結びつけて、観光地と宝石類を同時にアピールすることができ、宣伝の相乗効果が期待できる。
【００７２】
また、観光地での記憶も手伝って宝石類に対する愛着も増し、長く使うことが期待できる。延いては、長く使うことがお守り、観光地、宝石類の全ての宣伝に繋がるというものである。
【００７３】
また、図２（２）に示すように、宝石類３０を埋め込んで、カード３１の表、裏の両方から触れることができるようにすると良い。本実施例では、カード３１に穴を開け、その穴部に真珠３０を填め込んで固定したものである。お守りでは、その宝石類に触れることができることが重要であり、直接触れることができることでお守りとしての効果が高まると認識されている。
【００７４】
このように埋め込みの場合には、図３に示すように、宝石類４０をリング状の取付金具４１に接着剤などで固着し、その取付リング４１をカード４２に開けた穴４３に填め込んで固定するようにしても良い。この実施例では、カード４２側のリング４４の内周部に凹部４５が設けられ、宝石４０側のリング４１の外周部に凸部４６が設けられており、宝石４０側のリング４１とカード４２側のリング４４の凹凸部分４５、４６を填め込んで固定できるようになっている。
【００７５】
また、本カード型お守りには、ラミネート加工の薄膜を施す。図１（２）に示すように、カード１０をラミネート被覆１１することで、半永久的に使用することが可能となり、取り付けた宝石類１の部分にはラミネート被覆を施さないようにする。
【００７６】
宝石類１の部分にまでラミネート被覆１１を施すと、取り付けた宝石類１に直接触れることができなくなってしまう。お守りにとって、直接触れることは非常に重要であるので、宝石類の部分にはラミネート加工しない。
【００７７】
図４は、本発明によるお守りの他の実施例を示す図であり、（１）は表面（お守り表示面）を示し、（２）は、裏面（観光写真表示面）を示す。
【００７８】
このお守りは、（１）に示すように、カード部表面５０に取り付ける宝石類として黒蝶真珠の母貝である黒蝶貝を用いたものであり、その産地である沖縄県石垣島の川平湾で僧侶により、御祓いを済ませた黒蝶貝の貝殻を光沢研磨し、ハート形状にカットした祈願済の装飾貝殻５１である。
【００７９】
該表面５０には、お守り表示として、「安全祈願」、「大願成就」、「無病息災」、「縁結び」の文字が記載され、祈願済の表示５３と、祈願した神社名５３が表記されている。また、（２）に示す裏面５２には、使用される黒蝶貝の産地であり、前記の祈願を行った川平湾の美しい風景を表示した観光写真が印刷されている。
【００８０】
このように、裏面に表示する観光写真の観光地の名物や特産品などをその観光地で御祓いを行い、お守りとして使用することにより、観光地の宣伝効果と特別な思い入れの高い特別なお守りとしての効果との相乗効果により、より身近であり、大切にされるお守り、及び効果の高い観光宣伝物となる。
【００８１】
【発明の効果】
以上、詳細に説明した本発明では、以下に示すような効果がある。
１）御祓いを施すことで宝石類をお守りとすることができ、かつ、携行に便利で、財布や定期入れ、名刺入れ等の中に入れて持ち歩くことができる。
【００８２】
２）宝石類が使用することでお守りとしての価値を高め、贈物やお土産物としても重宝し、大切にされ、しばらくして捨てられてしまうということがない。
【００８３】
３）宝石類が採れた土地などの観光名所の写真等を印刷することで、観光地の宣伝と結びつけて、観光地と宝石類を同時にアピールすることができ、宣伝の相乗効果が期待できるほか、観光地での記憶も手伝って宝石類に対する愛着も増し、長く使うことが期待でき、延いては、長く使うことがお守り、観光地、宝石類の全ての宣伝に繋がる。
【００８４】
４）宝石類を埋め込んで取り付けることにより、お守りの表裏両面側から貴金属に触れることができ、常にお守りの存在を実感できる。
【００８５】
５）宝石類に真珠類を使用することで、宝石の中でも、海から誕生するものであり、その神秘的な誕生と御祓いの神秘的な効果とが相乗効果となり、真珠およびその貝のお守りとしての特別な思い入れを強く意識させることができ、長く大切にされることが期待できる。また、宝石類の中でも非常に加工がしやすく、球状、半球状や各種のデザインなどが可能であり、カードに取り付けやすい。
【００８６】
６）ラミネート加工によって耐久性が高くなり、半永久的に使用することが可能であり、かつ、宝石類の部分へはラミネート加工を施さないので、いつでも宝石類に触れることができる。
【図面の簡単な説明】
【図１】本発明によるお守りの表面及び断面の実施例を示す図である。
【図２】本発明によるお守りの裏面及び他の断面の実施例を示す図である。
【図３】本発明によるお守りの宝石類の埋め込み方法の実施例を示す図である。
【図４】本発明によるお守りの表面及び裏面の他の実施例を示す図である。
【符号の説明】
１、３０、４０  宝石類（真珠）
２  貝の図形
３  お守りの表示
４  御祓いの場所
５  御祓いの日時
１０、３１、４２  カード
１１  ラミネート被覆
１２  接着剤
２０  写真
４１  宝石類側取付リング
４３  穴
４４  カード側取付リング
４５  リング凹部
４６  リング凸部
５０  表面
５１  装飾貝殻
５２  裏面
５３  祈願済み表示
５４  お守り表示
【図１】
2004358072.tif 000003
【図２】
2004358072.tif 000004
【図３】
2004358072.tif 000005
【図４】
2004358072.tif 000006